(57)【要約】      （修正有）【課題】行き場が限られがちのリモコン類や携帯端末などが天板上から非常に効率よく整理することができるこたつ机を提供する。【解決手段】正方形枠状の枠体１０の四隅よりそれぞれ下方へ延びる脚体１１を備えた基台と、この基台上に載置される天板１３とを備え、冬季に基台と天板１３との間にこたつ布団を挟んで使用するこたつ机１を前提とする。そして、天板１３に、その内部に小物類を収容する２つの収容部を設けている。各収容部は、天板１３の正面側及び背面側の外周面より外方向きへ引き出し可能な引き出し２１を備えている。【選択図】図２
0003213597.tif 000002
【実用新案登録請求の範囲】
【請求項１】
略矩形枠状の枠体の四隅よりそれぞれ下方へ延びる脚体を備えた基台と、この基台上に載置される天板とを備え、冬季に前記基台と前記天板との間にこたつ布団を挟んで使用するこたつ机であって、
前記天板には、その内部に小物類を収容する収容部が設けられていることを特徴とするこたつ机。
【請求項２】
前記収容部は、前記天板の外周面より外方向きへ引き出し可能な引き出しを備えている請求項１に記載のこたつ机。
【請求項３】
前記収容部は、この収容部に対応する天板の対応部分がヒンジを介して上方へ跳ね上げ可能に置換された蓋板を備えている請求項１に記載のこたつ机。
【請求項４】
前記収容部は、前記天板の内部において複数に区画され、
その各収容部のうちの少なくとも一部は、前記天板の外周面より外方向きへ引き出し可能な引き出しを備えている請求項１に記載のこたつ机。
【請求項５】
前記収容部は、前記天板の内部において複数に区画され、
その各収容部のうちの少なくとも一部は、その一部に対応する天板の対応部分がヒンジを介して上方へ跳ね上げ可能に置換された蓋板を備えている請求項１に記載のこたつ机。
【請求項６】
前記各収容部のうちの残る収容部は、その残る収容部に対応する天板の対応部分がヒンジを介して上方へ跳ね上げ可能に置換された蓋板を備えている請求項４に記載のこたつ机。
【請求項７】
前記各収容部のうちの残る収容部は、当該収容部を上方から透視可能な透明又は半透明の透視板を備えている請求項４〜請求項６のいずれか１つに記載のこたつ机。
【考案の詳細な説明】
【技術分野】
【０００１】
本考案は、冬季に基台と天板との間にこたつ布団を挟んで使用するこたつ机に関する。
【背景技術】
【０００２】
従来より、こたつ机としては、略矩形枠状の四隅よりそれぞれ下方へ延びる脚体を備えた基台と、この基台上に載置される天板とを備え、冬季に基台と天板との間にこたつ布団を挟んで使用するものが知られている（特許文献１参照）。
【先行技術文献】
【特許文献】
【０００３】
【特許文献１】実開昭６３−１３９４１３号公報
【考案の概要】
【考案が解決しようとする課題】
【０００４】
ところで、こたつ机は団らんの場に設置される傾向があるので、テレビやエアコンのリモコン類や携帯端末などが天板上に乱雑に載置される。特に、冬季にこたつ布団が使用されると、リモコン類や携帯端末などの行き場が余計に限られたものとなりがちであり、その対策が切望されていた。
【０００５】
本考案は、かかる点に鑑みてなされたものであり、その目的とするところは、行き場が限られがちのリモコン類や携帯端末などが天板上から非常に効率よく整理することができるこたつ机を提供することにある。
【課題を解決するための手段】
【０００６】
前記目的を達成するため、本考案では、略矩形枠状の枠体の四隅よりそれぞれ下方へ延びる脚体を備えた基台と、この基台上に載置される天板とを備え、冬季に前記基台と前記天板との間にこたつ布団を挟んで使用するこたつ机を前提とする。そして、前記天板に、その内部に小物類を収容する収容部を設けることを特徴としている。
【０００７】
また、前記収容部は、前記天板の外周面より外方向きへ引き出し可能な引き出しを備えていてもよい。
【０００８】
これに対し、前記収容部は、この収容部に対応する天板の対応部分がヒンジを介して上方へ跳ね上げ可能に置換された蓋板を備えていてもよい。
【０００９】
更に、前記収容部は、前記天板の内部において複数に区画され、前記各収容部のうちの少なくとも一部は、前記天板の外周面より外方向きへ引き出し可能な引き出しを備えていてもよい。
【００１０】
これに対し、前記収容部は、前記天板の内部において複数に区画され、前記各収容部のうちの少なくとも一部は、その一部に対応する天板の対応部分がヒンジを介して上方へ跳ね上げ可能に置換された蓋板を備えていてもよい。
【００１１】
また、前記各収容部のうちの残る収容部は、その残る収容部に対応する天板の対応部分がヒンジを介して上方へ跳ね上げ可能に置換された蓋板を備えていてもよい。
【００１２】
更に、前記各収容部のうちの残る収容部は、当該収容部を上方から透視可能な透明又は半透明の透視板を備えていてもよい。
【考案の効果】
【００１３】
以上、要するに、天板の内部に小物類を収容する収容部を設けることで、行き場が限られがちのリモコン類や携帯端末などの小物類を天板上から収容部に非常に効率よく整理することができる。
【００１４】
また、天板の外周面より外方向きへ引き出し可能な引き出しを収容部に備えることで、収容部から引き出された引き出し内にリモコン類や携帯端末などの小物類を取り出し易く収容することができる。
【００１５】
これに対し、収容部に対応する天板の対応部分がヒンジを介して上方へ跳ね上げ可能に置換された蓋板を備えることで、蓋板を上方へ跳ね上げて収容部からリモコン類や携帯端末などの小物類を取り出し易く収容することができる。
【００１６】
更に、天板の内部において複数に区画された各収容部のうちの少なくとも一部に引き出しを備えることで、各収容部のうちの少なくとも一部から引き出された引き出し内にリモコン類や携帯端末などの小物類を区分けして取り出し易く収容することができる。
【００１７】
これに対し、複数に区画した各収容部のうちの少なくとも一部に蓋板を備えることで、蓋板を上方へ跳ね上げて収容部からリモコン類や携帯端末などの小物類を区分けして取り出し易く収容することができる。
【００１８】
また、少なくとも一部に引き出しを備えた収容部のうちの残る収容部に蓋板を備えることで、引き出しを引き出したり、蓋板を上方へ跳ね上げたりして、各収容部からリモコン類や携帯端末などの小物類を区分けしてより取り出し易く収容することができる。
【００１９】
更に、少なくとも一部に引き出しや蓋板を備えた各収容部のうちの残る収容部に、当該収容部を上方から透視可能な透明又は半透明の透視板を備えることで、引き出しを引き出したり、蓋板を上方へ跳ね上げたりしなければ確認できなかった収容部の小物類が上方からの透視により確認することができ、収容部の利用形態を拡大することができる。
【図面の簡単な説明】
【００２０】
【図１】本考案の第１の実施の形態に係るこたつ机の斜視図である。
【図２】図１のこたつ机の引き出しをそれぞれ引き出した状態を示す斜視図である。
【図３】図１のこたつ机の平面図である。
【図４】図１のこたつ机の底面図である。
【図５】図１のこたつ机の正面図である。
【図６】図１のこたつ机を左側方から見た側面図である。
【図７】図５のこたつ机の引き出しの右側端部付近の拡大図である。
【図８】本考案の第２の実施の形態に係るこたつ机の斜視図である。
【図９】図８のこたつ机の蓋板を跳ね上げた状態を示す斜視図である。
【図１０】図８のこたつ机の平面図である。
【図１１】図８のこたつ机の正面図である。
【図１２】図８のこたつ机を左側方から見た側面図である。
【図１３】図１１のこたつ机の正面の右側端部付近の拡大図である。
【図１４】本考案の第３の実施の形態に係るこたつ机の斜視図である。
【図１５】図１４のこたつ机の引き出しをそれぞれ引き出した状態を示す斜視図である。
【図１６】図１４のこたつ机の平面図である。
【図１７】図１４のこたつ机の正面図である。
【図１８】図１４のこたつ机を左側方から見た側面図である。
【図１９】図１４のこたつ机の背面側の長手方向中間部付近の拡大図である。
【図２０】図１８のこたつ机の背面側端部付近の拡大図である。
【考案を実施するための形態】
【００２１】
以下、本考案の実施の形態を添付した図面により詳細に説明する。
【００２２】
先ず、図１は本考案の第１の実施の形態に係るこたつ机の斜視図、図２は図１のこたつ机の引き出しをそれぞれ引き出した状態を示す斜視図をそれぞれ示している。また、図３は図１のこたつ机の平面図、図４は図１のこたつ机の底面図、図５は図１のこたつ机の正面図、図６は図１のこたつ机を左側方から見た側面図をそれぞれ示している。
【００２３】
図１〜図６に示すように、１は本考案の第１の実施の形態に係るこたつ机であって、このこたつ机１は、略正方形枠状の枠体１０の四隅よりそれぞれ下方へ延びる脚体１１，１１，…を備えた基台１２と、この基台１２上に載置される略矩形状の天板１３とを備えている。そして、こたつ机１は、冬季に基台１２と天板１３との間にこたつ布団（図示せず）を挟んで使用される。この場合、基台１２の枠体１０及び天板１３は、共に一辺が８００ｍｍの正方形状に形成されている。
【００２４】
天板１３は、上板１３１及び下板１３２と、上板１３１及び下板１３２の左右両端同士の間を延びて当該両板１３１，１３２に接合される左右両側板１３３，１３３とを備えている。上板１３１、下板１３２及び左右両側板１３３，１３３としては、木材チップを蒸煮・解繊したものに接着剤となる合成樹脂を加え板状に熱圧成型したＭＤＦが用いられている。また、上板１３１及び左右両側板１３３，１３３の表面には、天然木目調の薄板（図示せず）が貼り付けられている。このとき、薄板は、明るい自然な色調であっても、若干暗い落ち着いた色調であってもよい。
【００２５】
一方、基台１２の枠体１０は、合板により成形されており、厚さが４５ｍｍに設定された枠部１０１と、この枠部１０１を略９分割するように縦方向及び横方向へそれぞれ延びる４本の区画板１０２，１０２，…とを備えている。枠体１０の表面にも、天板１３の上板１３１及び左右両側板１３３，１３３の表面と同様に天然木目調の薄板（図示せず）が貼り付けられている。そして、基台１２と天板１３とは、基台１２の枠体１０の正面側及び背面側の左右方向中間位置に取り付けられた２つの締結具（図示せず）を天板１３の下板１３２に対し螺着することで止着されている。この各締結具は、冬季に基台１２と天板１３との間にこたつ布団（図示せず）を挟むときに螺着解除される。
【００２６】
また、各脚体１１は、椋材により形成され、上端に切り込みがそれぞれ設けられている。そして、各脚体１１は、枠体１０の四隅に設けられた切り込みに沿って上端の切り込みを宛てがった状態でボルト材１４によって止着されている。
【００２７】
各脚体１１は、基台１２の枠体１０に取り付けられた際の当該枠体１０の上端面からの高さが３３５ｍｍに設定され、プラス３０ｍｍの高さアップ可能な継脚１５をそれぞれ備えている。この各継脚１５は、その上面よりボルト材（図示せず）が突設され、各脚体１１の下面より凹設された螺子筒（図示せず）に対し螺着により装着される。この場合、各脚体１１及び各継脚１５は、天板１３の上板１３１及び左右両側板１３３，１３３、及び枠体１０の表面と同様に天然木目調に色調に仕上げられている。
【００２８】
そして、天板１３は、上板１３１の上端と下板１３２の下端との間の厚さが６０ｍｍに設定され、その内部に小物類を収容する２つの収容部２，２を備えている。この各収容部２は、左右両端部が左右両側板１３３，１３３の長手方向中間位置に接合された区画壁１３０によって天板１３の外周面の正面側（図３では右側）及び背面側（図３では左側）とに分割されている。そして、各収容部２は、天板１３の外周面の正面側及び背面側よりそれぞれ外方向きへ引き出し可能な引き出し２１を備えている。
【００２９】
各引き出し２１は、引き出し本体２１１と、この引き出し本体２１１の表面側に接合された表面材２１２とを備えている。この各引き出し本体２１１の表面材２１２の表面にも、天板１３の上板１３１及び左右両側板１３３，１３３の表面と同様に天然木目調の薄板（図示せず）が貼り付けられている。この場合、各収容部２の内部に収容される小物類は、各引き出し２１を介して収容されている。
【００３０】
図７は図５のこたつ机１の引き出し２の右側端部付近の拡大図を示している。この図７にも示すように、各引き出し２１の引き出し本体２１１の左右両側面には溝２２，２２が凹設されている。また、各引き出し２１の引き出し本体２１１の左右両側面にそれぞれ対応する各収容部２の左右両側板１３３，１３３の正面側端及び背面側端には、各引き出し２１の引き出し本体２１１の左右両側面の各溝２２内を摺動して各収容部２からの各引き出し２１の出し入れを案内する左右一対の突起２３，２３が突設されている。
【００３１】
天板１３の下板１３２の正面側及び背面側の左右方向中間位置には切欠き１３４が設けられている一方、各引き出し２１の表面材２１２の裏面側にも切欠き（図示せず）が設けられ、下板１３２の切欠き１３４を介して各引き出し２１の表面材２１２の切欠きに差し入れた指によって各引き出し２１が引き出されるようにしている。なお、区画壁１３０、各引き出し２１の引き出し本体２１１及び表面材２１２もＭＤＦが適用されている。
【００３２】
したがって、本実施の形態では、天板１３の内部に小物類を収容する２つの収容部２，２が設けられているので、行き場が限られがちのリモコン類や携帯端末などの小物類を天板１３上から収容部２，２に非常に効率よく整理することができる。
【００３３】
しかも、各収容部２に、天板１３の正面側及び背面側より外方向きへ引き出し可能な引き出し２１が設けられているので、各収容部２から引き出された引き出し２１内にリモコン類や携帯端末などの小物類を区分けして取り出し易く収容することができる。
【００３４】
なお、本実施の形態では、２つの収容部２，２にそれぞれ引き出し２１を設けたが、天板の内部に単一又は３つ以上の収容部が設けられ、その収容部に引き出しが設けられていてもよい。
【００３５】
次に、本考案の第２の実施の形態を図面に基づいて説明する。
【００３６】
この実施の形態では、天板の収容部の構成を変更している。なお、天板を除くその他の構成は、前記第１の実施の形態と同じであり、同一部分については同じ符号を付してその詳細な説明は省略する。図８は本考案の第２の実施の形態に係るこたつ机の斜視図、図９は図８のこたつ机の蓋板を跳ね上げた状態を示す斜視図をそれぞれ示している。また、図１０は図８のこたつ机の平面図、図１１は図８のこたつ机の正面図、図１２は図８のこたつ机を左側方から見た側面図、図１３は図１１のこたつ机の正面の右側端部付近の拡大図をそれぞれ示している。
【００３７】
すなわち、本実施の形態では、図８〜図１３に示すように、こたつ机３の天板３３は、一辺が８００ｍｍの正方形状に形成されており、上板３３１及び下板３３２と、上板３３１及び下板３３２の左右両端同士の間を延びて当該両板３３１，３３２に接合される左右両側板３３３，３３３と、上板３３１及び下板３３２の正面側端及び背面側端同士の間を延びて下板３３２の正面側端及び背面側端に接合される正面側及び背面側板３３４，３３４とを備えている。
【００３８】
上板３３１、下板３３２、左右両側板３３３，３３３、正面側及び背面側板３３４，３３４としては、ＭＤＦが用いられている。また、上板３３１、左右両側板３３３，３３３、正面側及び背面側板３３４，３３４の表面には、天然木目調の薄板（図示せず）が貼り付けられている。このとき、薄板は、明るい自然な色調であっても、若干暗い落ち着いた色調であってもよい。
【００３９】
そして、天板３３は、上板３３１の上端と下板３３２の下端との間の厚さが６０ｍｍに設定され、その内部に小物類を収容する２つの収容部４，４を備えている。この各収容部４は、左右両端部が左右両側板３３３，３３３の長手方向中間位置に接合された区画壁３３５によって天板３３の外周面の正面側（図１０では右側）及び背面側（図１０では左側）とに分割されている。そして、各収容部４は、この各収容部４に対応する天板３３の上板３３１の正面側及び背面側の対応部分が左右一対のヒンジ４１，４１を介して上方へ跳ね上げ可能にそれぞれ置換された蓋板４２を備えている。
【００４０】
各蓋板４２は、天板３３の上板３３１の正面側及び背面側の中間部に残留部分を残してその正面側及び背面側に設けられている。各ヒンジ４１は、蓋板４２と天板３３の上板３３１の残留部分との間に設けられている。また、各蓋板４２は、上方へ跳ね上げられた姿勢で保持する保持リンク４３を備えている。
【００４１】
この保持リンク４３は、折り曲げ可能な２本のリンク４３１，４３１により構成され、各蓋板４２の左右方向一方の裏面と左右両側板３３３，３３３の一方の裏面との間に接合されている。そして、各蓋板４２は、保持リンク４３の各リンク４３１がほぼ直線状に伸びることで上方へ跳ね上げられた姿勢（図９に示す姿勢）に変換されて保持される一方、各リンク４３１が折り曲げられて左右両側板３３３，３３３の一方の裏面に沿いながら重なり合うことで天板３３の上板３３１の残留部分と面一状となる閉塞姿勢（図８に示す姿勢）に変換される。
【００４２】
また、正面側及び背面側板３３４，３３４の長手方向中間位置には、上端より切り欠かれた凹部４４，４４が設けられている。この各凹部４４は、蓋板４２を開閉する際に当該蓋板４２を指で直に持ち易くするためのものである。なお、各蓋板４２はもちろんのこと、区画壁３３５もＭＤＦが適用されている。
【００４３】
したがって、本実施の形態では、収容部４，４に対応する天板３３の上板３３１の正面側及び背面側の対応部分が各ヒンジ４１，４１を介して上方へ跳ね上げ可能にそれぞれ置換された蓋板４２を備えているので、蓋板４２，４２を上方へ跳ね上げて収容部４，４からリモコン類や携帯端末などの小物類を区分けして取り出し易く収容することができる。
【００４４】
なお、本実施の形態では、２つの収容部４，４にそれぞれ各ヒンジ４１，４１を介して上方へ跳ね上げ可能な蓋板４２を設けたが、天板の内部に単一又は３つ以上の収容部が設けられ、その収容部に対応する天板の上板の対応部分がヒンジを介して上方へ跳ね上げ可能にそれぞれ置換された蓋板を備えていてもよい。
【００４５】
次に、本考案の第３の実施の形態を図面に基づいて説明する。
【００４６】
この実施の形態では、天板の収容部の構成を変更している。なお、天板を除くその他の構成は、前記第１の実施の形態と同じであり、同一部分については同じ符号を付してその詳細な説明は省略する。図１４は本考案の第３の実施の形態に係るこたつ机の斜視図、図１５は図１４のこたつ机の引き出しをそれぞれ引き出した状態を示す斜視図をそれぞれ示している。また、図１６は図１４のこたつ机の平面図、図１７は図１４のこたつ机の正面図、図１８は図１４のこたつ机を左側方から見た側面図をそれぞれ示している。
【００４７】
すなわち、本実施の形態では、図１４〜図１８に示すように、こたつ机５の天板５３は、上板５３１及び下板５３２を備えている。上板５３１は、下板５３２の正面側略半分に対応する大きさに形成された上板正面側部分５２１と、下板５３２の背面側左略半分に対応する大きさに形成された上板背面側左部分５２２と、下板５３２の背面側右略半分に対応する大きさに形成された半透明の着色ガラス製の透視板５２３とを備えている。そして、上板５３１は、上板正面側部分５２１、上板背面側左部分５２２及び透視板５２３によって構成され、下板５３２と共に、一辺が８００ｍｍの正方形状に形成されている。
【００４８】
下板５３２の右側端部（図１６では上側端部）には右側板５３３の下端が接合され、この右側板５３３の上端の正面側略半分が上板正面側部分５２１の右側端部に接合されている。また、下板５３２の左側端部（図１６では下側端部）の正面側略半分と上板正面側部分５２１の左側端部とには左側板５３４が接合されている。下板５３２の背面側端部（図１６では右側端部）の左側略半分には背面側板５３５の下端が接合され、この背面側板５３５の上端が上板背面側左部分５２２の背面側端が接合されている。上板背面側左部分５２２の正面側端は、上板正面側部分５２１の背面側端の左側略半分に接合されている。
【００４９】
上板５３１の上板正面側部分５２１及び上板背面側左部分５２２、下板５３２、左右両側板５３３，５３４、並びに背面側板５３５としては、木材チップを蒸煮・解繊したものに接着剤となる合成樹脂を加え板状に熱圧成型したＭＤＦが用いられている。また、上板５３１の上板正面側部分５２１及び上板背面側左部分５２２、下板５３２、左右両側板５３３，５３４、並びに背面側板５３５の表面には、天然木目調の薄板（図示せず）が貼り付けられている。このとき、薄板は、明るい自然な色調であっても、若干暗い落ち着いた色調であってもよい。
【００５０】
そして、天板５３は、上板５３１の上端と下板５３２の下端との間の厚さが６０ｍｍに設定され、その内部に小物類を収容する３つの収容部６１，６２，６３を備えている。この各収容部６１〜６３のうちの第１収容部６１は、右側端が右側板５３３の長手方向略中間位置に接合されかつ左側端が左側板５３４の背面側端に接合された第１区画壁６１１によって第２及び第３収容部６２，６３に対して区画されている。第１区画壁６１１は、上板正面側部分５２１の背面側端に沿って延び、当該上板正面側部分５２１の背面側端と下板５３２とにも接合されている。
【００５１】
第２収容部６２は、正面側端が第１区画壁６１１の長手方向略中間位置に接合されかつ背面側端が背面側板５３５の右側端に接合された第２区画壁６２１によって第３収容部６３に対して区画されている。第２区画壁６２１は、上板背面側左部分５２２の右側端に沿って延び、当該上板背面側左部分５２２の右側端と下板５３２とにも接合されている。
【００５２】
第３収容部６３は、第２区画壁６２１の背面側に沿って延び、かつ当該第２区画壁６２１の背面側及び背面側板５３５の右側端に接合された第３区画壁６３１を備えている。この第３区画壁６３１の正面側端は、第１区画壁６１１の背面側の長手方向略中間位置に接合されている。
【００５３】
また、第３収容部６３は、第１区画壁６１１の背面側の右側部分に沿って延び、かつ当該第１区画壁６１１の背面側の右側部分に接合された第４区画壁６３２を備えている。この第４区画壁６３２は、その左側端が第３区画壁６３１の正面側端に接合され、右側端が右側板５３３の長手方向略中間位置に接合されている。第３及び第４区画壁６３１，６３２は、下板５３２に接合されている。
【００５４】
図１９は図１４のこたつ机５の背面側の長手方向中間部付近の拡大図を示している。この図１９にも示すように、右側板５３３の背面側部分及び第３及び第４区画壁６３１，６３２の上面には、合成樹脂製の弾性材６５，６５，…が２つずつ取り付けられている。そして、第３収容部６３は透視板５２３を備え、この透視板５２３が右側板５３３の背面側部分及び第３及び第４区画壁６３１，６３２の上面に対し弾性的に載置されるようになっている。このとき、第３収容部６３内に収容したリモコン類や携帯端末などの小物類は、透視板５２３を透過して上方から確認することが可能であり、透視板５２３を取り外して取り出すことも可能である。
【００５５】
第１及び第２収容部６１，６２は、天板１３の外周面の正面側及び左側面背面側よりそれぞれ外方向きへ引き出し可能な第１及び第２引き出し６６，６７を備えている。第１引き出し６６は、引き出し本体６６１と、この引き出し本体６６１の表面側に接合された表面材６６２とを備えている。一方、第２引き出し６７は、引き出し本体６７１と、この引き出し本体６７１の表面側に接合された表面材６７２とを備えている。
【００５６】
各引き出し本体６６１，６７１の表面材６６２，６７２の表面にも、上板５３１の上板正面側部分５２１及び上板背面側左部分５２２、下板５３２、左右両側板５３３，５３４、並びに背面側板５３５の表面と同様に天然木目調の薄板（図示せず）が貼り付けられている。この場合、第１及び第２収容部６１，６２の内部に収容される小物類は、各引き出し６６，６７を介して収容されている。
【００５７】
図２０は図１８のこたつ机の背面側端部付近の拡大図を示している。この図２０にも示すように、各引き出し６６，６７の引き出し本体６６１，６７１の左右両側面には溝６８，６８が凹設されている。また、第１引き出し６６の引き出し本体６６１，６７１の左右両側面にそれぞれ対応する第１収容部６１の左右両側板５３３，５３４の正面側端には、第１引き出し６６の引き出し本体６６１の左右両側面の各溝６８内を摺動して第１収容部６１からの第１引き出し６６の出し入れを案内する左右一対の突起６９，６９が突設されている。一方、第２引き出し６７の引き出し本体６７１の左右両側面にそれぞれ対応する第２収容部６１の正面側の第１区画壁６１１及び背面側の背面側板５３５の左側端には、第２引き出し６７の引き出し本体６７１の正面側及び背面側の各溝６８内を摺動して第２収容部６２からの第２引き出し６７の出し入れを案内する一対の突起６９，６９が突設されている。
【００５８】
また、天板５３の下板５３２の正面側の左右方向中間位置及び左側板の背面側における長手方向中間位置には切欠き５３８が設けられている一方、各引き出し６６，６７の表面材６６２，６７２の裏面側にも切欠き（図示せず）が設けられ、下板５３２の切欠き５３８を介して各引き出し６６，６７の表面材６６２，６７２の切欠きに差し入れた指によって各引き出し６６，６７が引き出されるようにしている。なお、第１〜第４区画壁６１１，６２１，６３１，６３２、並びに各引き出し本体６６１，６７１の引き出し本体６６１，６７１及び表面材６６２，６７２も、ＭＤＦが適用されている。
【００５９】
したがって、本実施の形態では、天板５３の内部に小物類を収容する３つの第１〜第３収容部６１〜６３が設けられているので、行き場が限られがちのリモコン類や携帯端末などの小物類を天板５３上から各収容部６１〜６３に非常に効率よく整理することができる。
【００６０】
しかも、第１及び第２収容部６１，６２に、天板５３の正面側及び左側面側より外方向きへ引き出し可能な引き出し６６，６７が設けられているので、各収容部６１，６２から引き出された引き出し６６，６７内にリモコン類や携帯端末などの小物類を区分けして取り出し易く収容することができる。
【００６１】
更に、第３収容部６３に、当該収容部６３を上方から透視可能な半透明の透視板５２３が設けられているので、引き出し６６，６７を引き出したり、蓋板を上方へ跳ね上げたりしなければ確認できなかった第３収容部６３の小物類が上方からの透視により確認することができ、第３収容部６３の利用形態を拡大することができる。
【００６２】
なお、本考案は、前記各実施の形態に限定されるものではなく、その他種々の変形例を包含している。例えば、前記第１の実施の形態では、２つの収容部２，２にそれぞれ引き出し２１，２１を備える一方、前記第２の実施の形態では、２つの収容部４，４に、それぞれ対応する天板３３の上板３３１の対応部分がヒンジ４１を介して上方へ跳ね上げ可能にそれぞれ置換された蓋板４２，４２を備えたが、複数の収容部のうちの少なくとも一部に、天板の外周面より外方向きへ引き出し可能な引き出しを備え、残る収容部に、その残る収容部に対応する天板の対応部分がヒンジを介して上方へ跳ね上げ可能に置換された蓋板を備えていてもよい。
【００６３】
また、前記第３の実施の形態では、第３収容部６３に半透明の着色ガラス製の透視板５２３を備えたが、透明のガラス製、若しくは透明又は半透明のアクリル製の透視板であってもよい。
【００６４】
更に、前記各実施の形態では、基台１２の枠体１０及び天板１３，３３，５３を、共に一辺が８００ｍｍの正方形状に形成したが、基台の枠体及び天板が共に長方形状に形成されていてもよい。
【符号の説明】
【００６５】
１        こたつ机
１０      枠体
１１      脚体
１２      基台
１３      天板
２        収容部
２１      引き出し
３        こたつ机
３３      天板
４        収容部
４１      ヒンジ
４２      蓋板
５        こたつ机
５２３    透視板
５３      天板
６１      第１収容部
６２      第２収容部
６３      第３収容部
６６      第１引き出し
６７      第２引き出し
【図１】
0003213597.tif 000003
【図２】
0003213597.tif 000004
【図３】
0003213597.tif 000005
【図４】
0003213597.tif 000006
【図５】
0003213597.tif 000007
【図６】
0003213597.tif 000008
【図７】
0003213597.tif 000009
【図８】
0003213597.tif 000010
【図９】
0003213597.tif 000011
【図１０】
0003213597.tif 000012
【図１１】
0003213597.tif 000013
【図１２】
0003213597.tif 000014
【図１３】
0003213597.tif 000015
【図１４】
0003213597.tif 000016
【図１５】
0003213597.tif 000017
【図１６】
0003213597.tif 000018
【図１７】
0003213597.tif 000019
【図１８】
0003213597.tif 000020
【図１９】
0003213597.tif 000021
【図２０】
0003213597.tif 000022